(57)【特許請求の範囲】
【請求項１】
ノズル体(4) が、正面上部にミストとスチームを混合させた温ミストを噴霧するミスト噴霧口(4a)が形成され、背面の前記ミスト噴霧口(4a)の中心軸線と中心を一致する位置にはミストホース(2) の継手と着脱自在に嵌合されるミストホース接続部(4b)が形成されていて内部の下方部が凝縮水を貯留する凝縮水貯留部(4c)とされているカム型の容器であって、該ミスト噴霧口(4a)の口縁にはミストホース接続部(4b)から噴霧されるミストがミスト噴霧口(4a)の口縁内面で凝縮した凝縮水が外部に垂れ落ちることを防止する垂れ止め部(5)を形成したことを特徴とする美・理容装置用ノズル。
【請求項２】
垂れ止め部(5) が断面略山形状の隆条部(5a)である請求項１に記載の美・理容装置用ノズル。
【請求項３】
隆条部(5a)がミスト噴霧口(4a)を囲むよう連続して形成されている請求項２に記載の美・理容装置用ノズル。
【請求項４】
垂れ止め部(5) が凝縮水貯留部(4c)に凝縮水をガイドする凹溝である請求項１に記載の美・理容装置用ノズル。
【請求項５】
凝縮水貯留部(4c)にドレンホースが接続されている請求項１から４のいずれかに記載の美・理容装置用ノズル。
【発明の詳細な説明】
【０００１】
【発明の属する技術分野】
本発明は、フェイシヤルやヘアードレッシング等を行う際に使用する美・理容装置用ノズルに関するものである。
【０００２】
【従来の技術】
従来、フェイシヤルやヘアードレッシング等は美・理容装置のミスト発生装置から発生されるミストやミスト発生装置からのミストとスチーム発生装置からの蒸気を混合させた温ミストをノズル体から噴霧させて行うものである。しかし、フェイシヤルやヘアードレッシング等の際、噴霧されるミストがノズル体内面に付着して成長し水滴となったり、ノズル体内面に付着した温ミストが凝縮して水滴となり、ノズル体を伝って垂れ落ち、被施術者の顔や髪に水滴が当たることがある。この垂れ落ちる水滴は被施術者に不快感を与えるうえに、ヘアに滴下した水滴はヘアに付着させたヘアダイ液やヘアカラー液を洗い流して着色にむらを生じさせたり、水滴により洗い流されたヘアダイ液やヘアカラー液が顔や頭皮に付着して顔や頭皮を汚したり傷めるという問題を生じさせたり、垂れ落ちた水滴で被施術者の衣服を濡らしたり汚すという問題があった。
【０００３】
【発明が解決しようとする課題】
本発明が解決しようとするところは、被施術者に水滴が垂れ落ちることのない美・理容装置用ノズルを提供することを目的とするものである。
【０００４】
【課題を解決するための手段】
前述の目的を達成するため本発明は、ノズル体が、正面上部にミストとスチームを混合させた温ミストを噴霧するミスト噴霧口が形成され、背面の前記ミスト噴霧口の中心軸線と中心を一致する位置にはミストホースの継手と着脱自在に嵌合されるミストホース接続部が形成されていて内部の下方部が凝縮水を貯留する凝縮水貯留部とされているカム型の容器であって、該ミスト噴霧口の口縁にはミストホース接続部から噴霧されるミストがミスト噴霧口の口縁内面で凝縮した凝縮水が外部に垂れ落ちることを防止する垂れ止め部を形成したことを特徴とする美・理容装置用ノズルを請求項１の発明とし、請求項１の発明において、垂れ止め部が断面略山形状の隆条部である美・理容装置用ノズルを請求項２の発明とし、請求項２の発明において、隆条部がミスト噴霧口を囲むよう連続して形成されている美・理容装置用ノズルを請求項３の発明とし、請求項１の発明において、垂れ止め部が凝縮水貯留部に凝縮水をガイドする凹溝である美・理容装置用ノズルを請求項４の発明とし、請求項１から４の発明において、凝縮水貯留部にドレンホースが接続されている美・理容装置用ノズルを請求項５の発明とするものである。
【０００５】
【発明の実施の形態】
次に、本発明の好ましい実施の形態を図１、２、３、４に基づいて詳細に説明する。
１はキャスター１ａにより移動自在とされ、背面に温ミスト噴霧用のミストホース２、２が接続された器具本体であり、この器具本体1 に接続されるミストホース２、２は顔用であるかヘアー用であるかを識別できるように、色分けか、識別シールが貼られている。また、ミストホース２、２は屈曲変形自在なフレキシブルポール３に、受け口を有するホルダ３ａをもって着脱自在に装着されるとともに、フレキシブルポール３の屈曲変形によりミストホース２、２のノズル体４を任意の方向に向けることができるようになっている。さらに、ノズル体４はミストホース２と着脱交換自在に接続されるものである。また、フレキシブルポール３を抱持するホルダ３ａの抱持力はミストホース２を抱持する受け口の抱持力よりも強くして、フレキシブルポール３からミストホース２を引き外す際、ホルダ３ａがミストホース２側に残らないようにしている。
【０００６】
また、前記ミストホース２、２に接続されるノズル体４は、図１および図２に示すように、カム型をした容器よりなるもので、該ノズル体４はミストホース２の継手２ａと着脱自在に嵌合されるミストホース接続部４ｂを容器の背面上部に形成するとともに、容器の正面にミストホース接続部４ｂの中心軸線と中心を一致させたミスト噴霧口４ａを形成し、さらに、容器の下方部を凝縮水貯留部４ｃとしたものである。また、ミスト噴霧口４ａの口縁、すなわちミスト噴霧口４ａのノズル体４の内面側口縁に凝縮水が外部に垂れ落ちることを防止する垂れ止め部４ｃが形成されている。垂れ止め部４ｃは断面略山形状の隆条部５ａによりミスト噴霧口４ａの内面側口縁を囲んだものであり、ミストホース接続部４ａより吹出される温ミストがノズル体４の正面側壁面に付着して凝縮し水滴となり、該水滴が成長して重力によりノズル体４の壁面を伝って流れ落ちる際、隆条部５ａで水滴は堰き止められ、隆条部に５ａに沿って流れ落ちて凝縮水貯留部４ｃ内に貯留されてゆくこととなり、ミスト噴霧口４ａより外部に垂れ落ちることがないようにしている。また、前記フレキシブルポール３は器具本体１の背面上下方向に配設されたガイド杵３ｃ、３ｃに摺動自在に装着されたスライダ３ｂ、３ｂに装着されて昇降動自在なものとしている。
【０００７】
７は器具本体１に内蔵されるミスト生成装置であり、このミスト生成装置７は図４に示されるよう、ミスト発生装置７ａとスチーム発生装置７ｂとからなるものである。前記ミスト発生装置７ａは水中に没する隔壁８ａにより区画される給水室６ａとエアー室６ｂおよび、水面に下縁を近接させた隔壁８ｂによりエアー室６ｂからエアー供給ができるよう仕切られたミストガイド管６ｄを設けたミスト発生室６ｃとからなるタンク室８と、タンク室８に給水を行う給水タンク９と、エアー室６ｂに送風管１０ａを介してエアーを送風するブロアモータ１０と、ミスト発生室６ｃの底部に装着されるミスト発生用の超音波振動子１１と、タンク室８の水位を検知して超音波振動子１１の作動を停止させるフロートスイッチ１２とからなり、タンク室８の水位レベルは給水タンク９の給水管９ａに透設された給水孔９ｂの位置によって自動的に調整される。
【０００８】
一方、前記したスチーム発生装置７ｂは、スチームガイド管１３ａを上面に設けたタンク１３にヒータ１３ｂを装着したもので、タンク１３には過熱防止用のバイメタル型のサーモスイッチ１４ａと保温用のバイメタル型のサーモスイッチ１４ｂとが取り付けられている。そして、タンク１３と前記ミスト発生装置７ａのタンク室８とは両底部に接続された連通管１６により接続されて供給水が両タンクに均等に供給されるようになっている。また、１５は連通管１６と接続されるドレン管であり、該ドレン管１５にはドレン弁１５ａが設けられている。
【０００９】
１７はミスト発生装置７ａで生じたミストとスチーム発生装置７ｂで生じたスチームとを混合させる混合器で、図示する混合器１７は、上部にミスト管１８との接続口が設けられ、底部には水抜き管２０との接続口が設けられ、また、側面にはミスト発生装置７ａに接続されるミストガイド管６ｄとの接続口と、スチーム発生装置７ｂに接続されるスチームガイド管１３ａとの接続口とを上下に配置した混合タンク１７ａを用いている。すなわち、混合タンク１７ａにはミストガイド管６ｄとスチームガイド管１３ａが接続され、混合タンク１７ａに接続されるミストガイド管６ｄはスチームガイド管１３ａより下方のタンク側面に、該タンク側面から先端を内空部に張出させて接続されていて、混合タンク１７ａに接続されるスチームガイド管１３ａはミストガイド管６ｄより上方のタンク側面に接続され、その先端はミストガイド管６ｄより長く内空部に張出されて、スチームがミストガイド管６ｄ内に逆流しないようにしている。１８は混合タンク１７ａの上面に接続されるＴ字状のミスト管で、該ミスト管１８には殺菌・消臭を行うイオン化装置、オゾン化装置１９およびサーミスタ１９ａが設けられている。
なお、この殺菌・消臭を行うイオン化装置、オゾン化装置１９はオゾンあるいはイオンまたはその双方を発生させて温ミスト中に含まれる雑菌の滅菌や、ヘアードレッシングに使用する薬剤の薬臭を消したり、薬剤を分解したりするためのものである。また、サーミスタ１９ａは温ミストの温度を測定して温ミストの温度が一定となるようミストやスチームの発生量を調整するものである。２０は混合タンク１７ａの底部に接続される水抜き管であり、該水抜き管２０はスチーム発生装置７のタンク１３とミスト発生装置６のタンク室８に接続される連通管１６と接続されている。
【００１０】
２１、２２はミスト管１８から分岐される顔用ミスト管とヘアー用ミスト管であり、ヘアー用ミスト管２２に接続されるミスト管１８の管路には結露水捕集機構２３が接続されている。この結露水捕集機構２３は側面上方にミスト管１８の供給側を接続する上部導入孔２３ａと、側面下方にヘアー用ミスト管２２を接続する下部送出孔２３ｂとを設けるとともに、底部に水抜き管２４ｃを接続する底部孔２３ｃを形成した捕集タンク２３ｄとよりなるもので、前記水抜き管２４ｃには捕集タンク２４が接続されていて、この捕集タンク２４には水位報知機構２４ａと排水弁２４ｂが取り付けられている。なお、２５は器具本体１の上面に設けられる操作パネル、２６はバキュームや、ブラシ、スプレー等のフェイシヤル処理を行う他の機器を接続するための接続用パネル部である。
【００１１】
このような理・美容装置の作動は、先ず、器具本体１に内蔵されるミスト生成装置７としてのミスト発生装置７ａとスチーム発生装置７ｂを作動させる。この作動によりミスト発生装置７ａのタンク室８に貯留されている水はミスト発生室６ｃの超音波振動子１１によってミスト化される。そして、ミストはブロアモータ１０によりエアー室６ｂに送り込まれるエアーは、エアー室６ｂとミスト発生室６ｃを区画する隔壁８ｂと水面との問にある隙間からミスト発生室６ｃ内に送り出される。そして、ミスト発生室６ｃ内に送り込まれたエアーはミストを気流に乗せてミストガイド菅６ｄへ送り出し、ミストガイド管６ｄを通って混合器１７の混合タンク１７ａ内に送り込まれる。これと同時に、スチーム発生装置７ｂのヒータ１３ｂにより加熱されたタンク１３内の水は蒸気となってスチームガイド管１３ａへ送り出され、スチームガイド管１３ａを通って混合タンク１７ａに送り込まれる。
【００１２】
この混合タンク１７ａへのミストの供給は、スチームガイド管１３ａより下方にあるミストガイド管６ｄからブロアモータ１０からの送風気流によって行われ、スチームの供給は、ミストガイド管６ｄより上方に配置され、ミストガイド管６ｄの先端より長く内空部に先端を張出させているスチームガイド管１３ａから蒸気圧により行われるので、スチームは下方のミストガイド管６ｄ内に逆流することなく送り込まれ、送風気流により上昇してくるミストとスチームは混合タンク１７ａ内で攪拌混合されて温ミストとなる。そして、温ミストは混合タンク１７ａの上面に接続されているミスト管１８より送り出されることとなる。このミスト管１８にはサーミスタ１９ａが設けられ、温ミストの温度を検出して、温ミストが適温になるようミスト発生装置７ａとスチーム発生装置７ｂを制御している。また、ミスト管１８には殺菌・消臭を行うイオン化装置、オゾン化装置１９が接続されており、温ミスト中に含まれている雑菌や薬臭や薬剤は分解され、清浄化された臭気のない温ミストが顔用ミスト管２１およびヘアー用ミスト管２２へ送出されることとなる。
【００１３】
そして、顔用ミスト管２１やヘアー用ミスト管２２通じてミストホース２、２に接続されたノズル体４より噴霧される温ミストを顔やヘアーに吹きかけてフエイシヤルやヘアードレッシングを行うものであるが、このとき、温ミストの一部はノズル体４のミスト噴霧口４ａの内面側に付着して凝縮し、成長して水滴となりノズル体４の内壁面を伝い流れ落ちることとなるが、ミスト噴霧口４ａの口縁内面には垂れ止め部５としての断面略山形状の隆条部５ａが形成されているため、伝い流れる水滴は堰として機能する隆条部５ａによりミスト噴霧口４ａから外部に垂れ落ちることなく凝縮水貯留部４ｃに向かって流れて凝縮水貯留部４ｃに貯留されることとなるので、ミスト噴霧口４ａから垂れ落ちた水滴が被施術者の頭や顔に当たって不快感を感じさせることがないうえに、垂れ落ちた水滴によりヘアを染めたばかりのヘアダイ液やヘアカラー液を洗い流して色むらを生じさせることもない。また、ノズル体４より垂れ落ちた水滴が被施術者の衣服に付着して衣服を濡らしたり、しみを残す恐れもないものである。
【００１４】
また、ヘアードレッシングの際、特に、ヘアーキャップ等を利用する場合、シャンプー、カット、リンス、トリートメント、育毛、ヘアーダイ等薬剤の臭いがヘアー用ミスト管２２からミスト管１８に移行したり、薬剤の混ざった結露水がヘアー用ミスト管２２内に還流することがある。しかし、ヘアー用ミスト管２２内に還流した結露水はミスト管１８に接続された結露水捕集機構２３より捕集されるので、混合タンク１７ａまで還流することがなく、また、ミスト管１８に移行する薬臭等はミスト管１８に設けられた殺菌・消臭を行うイオン化装置、オゾン化装置１９により分解消臭されるので、顔用ミスト管２１から薬剤が混ざった温ミストや薬臭のある温ミストが噴霧されることはない。そして、結露水捕集機構２３により捕集された薬剤により汚染された結露水は水抜き管２４ｃを通じて捕集タンク２４に貯留されることとなる。そして、捕集タンク２４内の結露水が満水となり、水位報知機構２４ａが作動すると、ブザーやランプによる警報を発するので、利用者は排水弁２４ｂを開いて結露水を排出すればよい。
【００１５】
なお、前記好ましい実施の形態では、ノズル体４はミストホース２にミストホース接続部４ｂを介して着脱自在とされ、凝縮水貯留部４ｃ内に凝縮水が満たされたらノズル体４をミストホース２より外して凝縮水貯留部４ｃ内の水を捨てるようにしているが、凝縮水貯留部４ｃの底部を先細の漏斗状とし、漏斗状の端部開口にドレンホースを接続して、凝縮水貯留部４ｃ内に流入する凝縮水を連続的に排出したり、ドレンホースに接続される開閉弁を手動で開閉して凝縮水が溜まったら間歇的に排出するようにして凝縮水の排出作業を簡素化して作業性を向上させるものとしてもよい。また、前記好ましい実施の形態では、垂れ止め部５の隆条部５ａをミスト噴霧口４ａを囲んだものとしているが、凝縮水が外部に流れ落ちる恐れが少ない下半部において、隆条部５ａの囲みをなくしてもよい異は勿論である。さらに、前記好ましい実施の形態では、垂れ止め部５を隆条部５ａとしているが、垂れ止め部５を凹溝としても同様の効果が得られることは勿論である。また、垂れ止め部５を隆条と凹溝とを交互に複数形成した波状のものとしたり、隆条の高さや凹溝の深さを深くして、ミスト噴霧口４ａから凝縮水が垂れ落ちることをより確実に防止するものとしてもよいことは勿論である。また、前記好ましい実施の形態では、顔用ミスト管２１とヘアミスト管２２とを分けてヘアドレッシングに使用するシャンプー、カット、リンス、トリートメント、育毛、ヘアダイ等に用いられる薬剤の臭いが顔用ミスト管２１より噴霧されないようにしているが、吸水体５に活性炭等の臭い吸着材等を混入させたものとすれば、薬剤の臭いは吸収されるので、顔用ミスト管２１とヘアミスト管２２とを分けず同じミスト管を共用することができる。さらに、前記好ましい実施の形態では、結露水捕集機構２３を設けたものとしているが、結露水捕集機構２３を用いない美・理容装置としてもよいことは勿論である。また、前記好ましい実施の形態では、ミスト生成装置７はミスト発生装置７ａとスチーム発生装置７ｂとよりなるものとして温ミストを発生させているが、ミスト発生装置７ａにより発生させたミストを噴霧させるものとしてもよく、あるいは、スチーム発生装置７ｂにより発生させた蒸気ミストを噴霧するものとしてもよいことは勿論である。
【００１６】
【発明の効果】
本発明は前記説明から明らかなように、凝縮水貯留部を設けたノズル体のミスト噴霧口の口縁内面に凝縮水が外部に垂れ落ちることを防止する垂れ止め部を形成することにより、水滴がノズル体から外部に垂れ落ちることがないので、水滴が被施術者の顔や頭に垂れて不快感を与えることがないうえに、水滴によりヘアーに付着させたヘアダイ液やヘアカラー液が流されて着色にむらを生じさせたり、水滴により流されたヘアダイ液やヘアカラー液が顔や頭皮に付着して顔や頭皮を汚すこともない。さらに、垂れ落ちた水滴で被施術者の衣服を濡らしたり汚すこともないものである。また、請求項２のように、垂れ止め部を断面略山形状の隆条部とすれば、堰の役割をする簡単な形状の隆条部により伝い流れる水がミスト噴霧口に流れ込むことを確実に防止することができる。請求項３のように、隆条部がミスト噴霧口を囲むよう連続して形成されるものとすれば、ノズル体を大きく傾けてもミスト噴霧口から水が垂れ落ちることを防止できる。請求項４のように、垂れ止め部を凝縮水貯留部に凝縮水をガイドする凹溝とすることにより、水の垂れ落ちを防止するとともに、水を速やかに凝縮水貯留部に導入することができる。請求項５のように、凝縮水貯留部にドレンホースを接続することにより、凝縮水貯留部に溜まった水を排出させる必要がなくなり、連続な施術が可能となり作業性を向上させることができる等種々の利点を有するものである。
従って、本発明は従来の問題点を解消した美・理容装置用ノズルとして業界の発展に寄与するところ大なものである。
【図面の簡単な説明】
【図１】本発明の好ましい実施の形態を示す一部切欠斜視図である。
【図２】本発明の好ましい実施の形態を示す一部切欠断面図である。
【図３】本発明の好ましい実施の形態を用いた美・理容装置を示す側面図である。
【図４】本発明に用いられる美・理容装置のミスト生成装置を示す槻略説明図である。
【符号の説明】
4     ノズル体
4a    ミスト噴霧口
4b    ミストホース接続部
4c    凝縮水貯留部
5       垂れ止め部
5a    隆条部
【図１】
0004521900.tif 000002
【図２】
0004521900.tif 000003
【図３】
0004521900.tif 000004
【図４】
0004521900.tif 000005